(57)【特許請求の範囲】
【請求項１】
畦塗り用の泥土を切削して跳ね上げる切削爪を有する回転自在のロータリーと、このロータリーの後方に位置して回転軸にて回転自在に設けられ前記ロータリーの切削爪にて跳ね上げられた泥土を旧畦に塗り付けて旧畦を修復する畦塗り体とを具備し、
前記畦塗り体は、前記旧畦の側部を下方に向かって拡開した傾斜面に修復する円錐形状の側面修復体と、この側面修復体の縮径端部に連設されこの縮径端部から拡開して突出し前記旧畦の上部を水平状面に修復する円錐形状の上面修復体とを有し、
前記回転軸に前記畦塗り体を偏心回転に変換可能に取り付ける取付手段を有し、
この取付手段は、前記回転軸に固着された第１の取付体と、前記畦塗り体内に固着され中心部に前記回転軸を偏位可能に挿通する前記畦塗り体の径方向の挿通孔を有する第２の取付体と、前記第１の取付体に前記第２の取付体を固定する固定具とを有し、
前記側面修復体及び前記上面修復体は、この相互を着脱自在に連結するフランジをそれぞれ有し、このフランジは前記回転軸に固着された前記第１の取付体を挿通する案内孔をそれぞれ有する
ことを特徴とする畦塗り機。
【請求項２】
第１の取付体と第２の取付体とのいずれか一方は複数のねじ孔を有し、他方は前記複数のねじ孔に連通する畦塗り体の半径方向の複数の取付長孔を有し、固定具は前記複数の取付長孔から前記複数のねじ孔にそれぞれ螺着する複数のボルトからなる
ことを特徴とする請求項１記載の畦塗り機。
【請求項３】
第１の取付体及び第２の取付体は、畦塗り体の上面修復体の拡径端部近傍の回転中心部を仮想中心点としてそれぞれ円弧状に形成する
ことを特徴とする請求項１または２記載の畦塗り機。
【請求項４】
側面修復体と上面修復体との間に位置して旧畦の肩部を傾斜面に修復する肩修復部を有する
ことを特徴とする請求項１記載の畦塗り機。
【請求項５】
上面修復体は、拡径端部の外周部に旧畦の修復する側部と反対側の側部に沿って回転される着脱可能なガイド体を有する
ことを特徴とする請求項１記載の畦塗り機。
【発明の詳細な説明】
【０００１】
【発明の属する技術分野】
本発明は畦塗り機に係り、主として水田を区画する旧畦を畦塗り修復して水漏れを防ぐものに関する。
【０００２】
【従来の技術】
従来、この種の畦塗り機としては、たとえば、特開平６−２２６０４号公報に記載されているように、畦成形部（旧畦）に対して土盛りする耕耘爪を有するロータリーを回転自在に設け、このロータリーの後方部に位置して前記畦成形部の盛り土を固めて畦を形成する回転具を回転自在に設け、この回転具は、その図１に示すように、水平状の回転軸に畦上面を形成する円筒状の回転体並びにこの回転体の両端部に畦の内外側面を形成する円錐面を有する内側回転板及び外側回転板を固着する構成が知られている。また、前記回転具は、その図９に示すように、前記水平状の回転軸に外側回転板を省略して前記回転体及びこの回転体の内端部に固着した円錐面を有する内側回転板を固着する構成が知られている。
【０００３】
【発明が解決しようとする課題】
前記公報に記載の構成では、水平状の回転軸に円錐面を有する回転板及び回転体が固着され、かつ、この回転体は円筒状のため、畦形成時には畦側面を形成する回転板の円錐面にて泥土が畦裾部から畦肩上に向かって押し上げられ、この泥土と畦上面を形成する円筒状の回転体にて前方に押される泥土とにより、回転体の前方には土量が膨れ上がった土溜まりが生じるとともに、この土溜まりの泥土が回転体の側方部に押し出され易く、また、進行時には土溜まりが抵抗となって円筒状の回転体が押し上げられ易く、したがって、畦の上部及び肩部を十分に締め固めることができず、肩部から畦が崩れ易く長期に耐える畦を畦塗り整畦する上で好ましくない、という問題がある。
【０００４】
本発明は、このような点に鑑みてなされたもので、旧畦の側部及び上部はもとより旧畦の肩部を十分に締め固めて修復することができ、肩部から畦が崩れ難く旧畦を長期に耐え得る畦に修復することができる畦塗り機を提供することを目的とするものである。
【０００５】
【課題を解決するための手段】
請求項１記載の畦塗り機は、畦塗り用の泥土を切削して跳ね上げる切削爪を有する回転自在のロータリーと、このロータリーの後方に位置して回転軸にて回転自在に設けられ前記ロータリーの切削爪にて跳ね上げられた泥土を旧畦に塗り付けて旧畦を修復する畦塗り体とを具備し、前記畦塗り体は、前記旧畦の側部を下方に向かって拡開した傾斜面に修復する円錐形状の側面修復体と、この側面修復体の縮径端部に連設されこの縮径端部から拡開して突出し前記旧畦の上部を水平状面に修復する円錐形状の上面修復体とを有し、前記回転軸に前記畦塗り体を偏心回転に変換可能に取り付ける取付手段を有し、この取付手段は、前記回転軸に固着された第１の取付体と、前記畦塗り体内に固着され中心部に前記回転軸を偏位可能に挿通する前記畦塗り体の径方向の挿通孔を有する第２の取付体と、前記第１の取付体に前記第２の取付体を固定する固定具とを有し、前記側面修復体及び前記上面修復体は、この相互を着脱自在に連結するフランジをそれぞれ有し、このフランジは前記回転軸に固着された前記第１の取付体を挿通する案内孔をそれぞれ有するものである。
【０００６】
そして、旧畦際に沿って進行されるとともに、ロータリー及び畦塗り体がそれぞれ回転されると、このロータリーの切削爪にて旧畦の側面部及び畦際が順次切削されるとともに、これらの切削土が畦塗り用泥土として畦塗り体に向かって順次跳ね上げられる。また、畦塗り体に供給された畦塗り用の泥土は、この畦塗り体の側面修復体にて旧畦の側部に沿って順次塗り付けられ、この旧畦の側部が下方に向かって拡開した傾斜面に順次修復されると同時に、この畦塗り体の上面修復体にて旧畦の上部に沿って順次塗り付けられ、この旧畦の上部が水平状面に順次修復される。したがって、畦塗り体の側面修復体及び上面修復体にて旧畦が所定の形態に順次修復される。この際、側面修復体にて旧畦の側部を修復する際の泥土は縮径側の旧畦の肩部に向かって押し上げ誘導されるとともに、上面修復体にて旧畦の上部を修復する際の泥土は縮径側の旧畦の肩部に向かって誘導され、これらの泥土は側面修復体に上面修復体を連設した相互の縮径端部にて旧畦の肩部に順次塗り付けられ、したがって、旧畦の肩部は固く締め固められて順次修復される。また、側面修復体及び上面修復体を有する畦塗り体は回転軸にて偏心回転されることにより、この側面修復体にて泥土が旧畦の側部に対して強く押し付けられながら塗り付けられ、この旧畦の側部が下方に向かって拡開した傾斜面に順次修復されると同時に、上面修復体にて泥土が旧畦の上部に対して強く押し付けられながら塗り付けられ、この旧畦の上部が水平状面に順次修復される。したがって、全体として旧畦の側部、肩部及び上部は固く締め固められて順次修復される。また、側面修復体及び上面修復体を有する畦塗り体は回転軸にて同心回転されることにより、この側面修復体にて泥土が旧畦の側部に沿って順次塗り付けられ、この旧畦の側部が下方に向かって拡開した傾斜面に順次修復されると同時に、上面修復体にて泥土が旧畦の上部に沿って順次塗り付けられ、この旧畦の上部が水平状面に順次修復される。したがって、全体として旧畦の側部、肩部及び上部は固く締め固められて順次修復される。
【０００７】
また、畦塗り体の第２の取付体の挿通孔に回転軸を挿通し、この回転軸の第１の取付体に畦塗り体の第２の取付体を当接した状態で、この回転軸に対して挿通孔の長さの範囲内の所定位置に塗り体を移動して畦塗り体の回転中心を設定し、この第１の取付体に前記第２の取付体を固定具にて固定することにより、畦塗り体は簡単に同心回転または偏心回転に変換される。また、側面修復体及び上面修復体は、たとえば、その一方が摩耗・損傷した場合のように泥土の塗り付け作業に支障をきたすようになったときには簡単に着脱交換に応じられる。また、取り付け時には回転軸に固着された第１の取付体はフランジの案内孔から畦塗り体内に容易に挿通して取り付けることができる。
【０００８】
請求項２記載の畦塗り機は、請求項１記載の畦塗り機において、第１の取付体と第２の取付体とのいずれか一方は複数のねじ孔を有し、他方は前記複数のねじ孔に連通する畦塗り体の半径方向の複数の取付長孔を有し、固定具は前記複数の取付長孔から前記複数のねじ孔にそれぞれ螺着する複数のボルトからなるものである。
【０００９】
そして、畦塗り体を偏心回転に変換する際には、複数のボルトをそれぞれ弛緩した状態で、回転軸及び複数のボルトを介して挿通孔及び複数の取付長孔の長さの範囲内で畦塗り体を移動して畦塗り体の回転中心を変換設定し、複数のボルトをそれぞれねじ孔に締め付けることにより、畦塗り体は簡単に偏心回転に変換される。
【００１０】
請求項３記載の畦塗り機は、請求項１または２記載の畦塗り機において、第１の取付体及び第２の取付体は、畦塗り体の上面修復体の拡径端部近傍の回転中心部を仮想中心点としてそれぞれ円弧状に形成するものである。
【００１１】
そして、畦塗り体を偏心回転に変換する際には、畦塗り体を仮想中心点を中心として回動すると、この畦塗り体の円弧状の第２の取付体は回転軸の円弧状の第１の取付体に沿って移動する円弧運動によって回動され、畦塗り体はスムーズに簡単に偏心回転に変換される。そうして、畦塗り体の上面修復体は小さい幅で振幅する偏心回転に変換され、畦塗り体の側面修復体は上面修復体より大きい幅で振幅する偏心回転に変換される。
【００１２】
請求項４記載の畦塗り機は、請求項１記載の畦塗り機において、側面修復体と上面修復体との間に位置して旧畦の肩部を傾斜面に修復する肩修復部を有するものである。そして、肩修復部にて泥土が旧畦の肩部に順次塗り付けられ、旧畦の肩部は傾斜面に固く締め固められて順次修復される。
【００１３】
請求項５記載の畦塗り機は、請求項１記載の畦塗り機において、上面修復体は、拡径端部の外周部に旧畦の修復する側部と反対側の側部に沿って回転される着脱可能なガイド体を有するものである。そして、このガイド体にて旧畦の側部に沿って畦塗り体がスムーズに進行される。このガイド体は特に中畦を修復する場合に有効となる。
【００１４】
【発明の実施の形態】
以下、本発明の一実施の形態を添付図面を参照して説明する。
【００１５】
１は機枠で、この機枠１は主枠兼用の前後方向のミッションケース２を有し、このミッションケース２の前端部には前後方向の入力軸３が前方に向かって回転自在に突出され、この入力軸３は前記ミッションケース２内に設けた前後の軸受体４にて回転自在に軸支され、この入力軸３には前記前側の軸受体４の近傍部及び入力軸３の後端部に位置して傘歯車５がそれぞれ固着されている。
【００１６】
また、前記ミッションケース２の前側部の右側には軸受体６を有する中空パイプ状の第１の伝動フレーム７が右側下方に向かって所定の傾斜角度に傾斜して突設され、この第１の伝動フレーム７は図示しない支持手段にて支持されるようになっている。
【００１７】
また、前記ミッションケース２の前側部の左側には左右方向の中空パイプ状の支持フレーム８が左側に向かって略水平状に一体に突設されている。また、前記支持フレーム８の外端部には前後方向の連結アーム９が一体に固着され、この左側の連結アーム９の先端部にはロワピン10が突設されている。
【００１８】
さらに、前記ミッションケース２の上部には前上方に向かってマスト11が一体に突設され、このマスト11の先端部の二股状部には左右方向の連結ピン12が固着されている。また、前記ミッションケース２には図示しない支持部材を介して前記連結アーム９と同一平面で平行に図示しない前後方向の連結アームが一体に固着され、この連結アームの先端部にはロワピンが突設されている。
【００１９】
そして、前記左右の連結アーム９のロワピン10と前記マスト11の連結ピン12との三点にはトラクタの三点リンク機構に連結して支持されるクイックカプラ13の三点連結部が着脱自在に連結されるようになっている。
【００２０】
つぎに、前記第１の伝動フレーム７内には第１の出力軸14が回転自在に挿通され、この第１の出力軸14の内端部が前記軸受体６にて回転自在に支持されているとともに、この第１の出力軸14の外端部が前記第１の伝動フレーム７の外端部に設けられた軸受体15にて回転自在に支持されている。
【００２１】
また、前記第１の出力軸14の内端部には前記入力軸３の前側の傘歯車５に噛合された傘歯車16が固着され、この第１の出力軸14の外端部には畦塗り用の泥土を切削して後述する畦塗り体に向かって跳ね上げるロータリー17が着脱可能に連結されている。
【００２２】
前記ロータリー17は、前記第１の出力軸14の外端部に着脱可能に連結された回転軸18と、この回転軸18の軸方向に間隔をおいて放射状に突設された多数のブラケット19と、この各ブラケット19にそれぞれ着脱可能に取り付けられた多数の切削爪20とを有している。そして、前記ロータリー17は圃場の状況や旧畦Ａの状態等に応じて調整された傾斜角度にて連結されている。
【００２３】
つぎに、前記ミッションケース２の後側部の右側には軸受体21を有する中空パイプ状の第２の伝動フレーム22が右側上方に向かって傾斜して一体に突設され、この第２の伝動フレーム22内には第２の出力軸23が回転自在に挿通され、この第２の出力軸23の内端部が前記軸受体21にて回転自在に支持され、この第２の出力軸23の外端部が前記第２の伝動フレーム22の外端部に設けられた軸受体24にて回転自在に支持されている。また、前記第２の出力軸23の内端部には前記入力軸３の後端部の傘歯車５に噛合された傘歯車25が固着されている。
【００２４】
また、前記第２の伝動フレーム22の外端部にはこの第２の伝動フレーム22に対して直交する状態で上下方向の伝動ケース26が後下方に向かって回動可能に取着されている。また、前記第２の伝動フレーム22の中間部にはこの第２の伝動フレーム22に対して直交する状態で上下方向のブラケット27が前記伝動ケース26と平行に後下方に向かって回動可能に取着されている。
【００２５】
さらに、前記伝動ケース26とブラケット27とは図示しない連結部材にて連結され、この連結部材から一体に突出された支持片28は調節支持手段29の一端部に回動自在に軸着され、この調節支持手段29は前記機枠１に設けられている。そして、前記調節支持手段29の調節操作により、前記伝動ケース26とブラケット27とは一体となって上下方向に回動されるとともに調整された傾斜角度にて支持されるようになっている。
【００２６】
つぎに、前記伝動ケース26とブラケット27との下端部間には回転軸30を介して前記ロータリー17の後方に位置してこのロータリー17の各切削爪20にて跳ね上げられた泥土を旧畦Ａに塗り付けて旧畦Ａを修復する畦塗り体31が回転自在に軸架されている。前記回転軸30は、前記第２の伝動フレーム22と平行にかつ作業時には前記旧畦Ａに対して所定の角度に傾斜するように前記伝動ケース26側が高く前記ブラケット27側が低くなる状態でこの伝動ケース26の下端部の軸受体26a とブラケット27の下端部の軸受体27a との間に回転自在に軸架されている。
【００２７】
前記畦塗り体31は、前記旧畦Ａの側部Ｂを下方に向かって拡開した傾斜面に修復する円錐形状の側面修復体32と、この側面修復体32の縮径端部33に連設されこの縮径端部33から外方に向かって拡開して突出し前記旧畦Ａの上部Ｃを水平状面に修復する円錐形状の上面修復体34とを有している。
【００２８】
前記側面修復体32は、円錐形状の修復面35の最小縮径部36に前記縮径端部33を有する円筒状部37が一体に突出して形成され、この円筒状部37の前記縮径端部33には前記回転軸30及び後述する取付体を挿通する案内孔38を有する環状のフランジ39が一体に固着されている。しかして、前記側面修復体32は金属にて形成された円筒状部を有する円錐形状本体32a と、この円錐形状本体32a の外周部に一体に固着され合成樹脂にて形成された円筒状部を有する円錐形状外被体32b とにより構成されている。
【００２９】
また、前記上面修復体34は、円錐形状の修復面40の最小縮径部41に前記側面修復体32の縮径端部33に当接する縮径端部42を有する円筒状部43が一体に突出して形成され、この円筒状部43の前記縮径端部42には前記回転軸30及び後述する取付体を挿通する案内孔44を有する環状のフランジ45が一体に固着されている。このフランジ45は前記フランジ39に当接しかつこの案内孔44は前記案内孔38に連通するようになっている。
【００３０】
しかして、前記上面修復体34は金属にて形成された円筒状部を有する円錐形状本体34a と、この円錐形状本体34a の外周部に一体に固着され合成樹脂にて形成された円筒状部を有する円錐形状外被体34b とにより構成されている。そして、前記上面修復体34は表面部に合成樹脂にて形成された円錐形状外被体34b を有するとともに、前記側面修復体32は表面部に合成樹脂にて形成された円錐形状外被体32b を有することにより、作業時には泥土が附着し難い状態に形成されているとともに、発錆を防止するようになっている。
【００３１】
そして、前記側面修復体32のフランジ39に前記上面修復体34のフランジ45を当接するとともに、この相互の案内孔38，44を連通した状態で相互のフランジ39，45を複数のボルト・ナット46にて着脱可能に連結することにより、側面修復体32の縮径端部33に上面修復体34の縮径端部42を当接して連設した状態で側面修復体32に上面修復体34が一体的に連設されている。
【００３２】
そうして、側面修復体32と上面修復体34との間に位置して、すなわち、側面修復体32の円筒状部37と上面修復体34の円筒状部43とにより、旧畦Ａの肩部Ｄを傾斜面に修復する所定の幅の肩修復部47が構成されている。
【００３３】
つぎに、前記回転軸30に前記側面修復体32及び上面修復体34を有する畦塗り体31を偏心回転に変換可能に取り付ける取付手段48が設けられている。この取付手段48は回転軸30に畦塗り体31を中心部の軸線を中心とした同心回転と、この同心回転から偏心位置に移動した偏心回転に変換可能に可変調節自在に取り付けられている。
【００３４】
前記取付手段48は、前記回転軸30の略中間部に固着され前記フランジ39，45の案内孔38，44を挿通する円盤板状の第１の取付体49と、前記畦塗り体31の側面修復体32内に固着され中心部に前記回転軸30を偏位可能に挿通する畦塗り体31の半径方向の挿通孔50を有する円盤板状の第２の取付体51と、この第２の取付体51の挿通孔50に挿通した前記回転軸30に前記畦塗り体31の回転中心を変換設定した状態で前記第１の取付体49に前記第２の取付体51を固定する固定具52とを有している。
【００３５】
また、前記第１の取付体49は周縁部に所定の間隔をおいて形成された複数のねじ孔53をそれぞれ有し、前記第２の取付体51は前記挿通孔50の周縁部に位置して形成され前記複数のねじ孔53に連通する前記挿通孔50と同方向（畦塗り体31の半径方向）の複数の取付長孔54をそれぞれ有している。また、前記固定具52は前記複数のねじ孔53及び複数の取付長孔54にそれぞれ挿通する複数のボルト55からなっている。
【００３６】
さらに、前記第１の取付体49及び第２の取付体51は、前記畦塗り体31の上面修復体34の拡径端部近傍の回転中心部を仮想中心点ａとしてそれぞれ摺動可能に同湾曲形状で円弧状に形成されている。この上面修復体34の拡径端部近傍の回転中心部とは上面修復体34の拡開端部の回転中心部及びこの拡開端部の回転中心部の軸線上の所定位置をいうものとする。そして、前記畦塗り体31は前記回転軸30を中心とした同心回転の状態から複数のボルト55を弛緩した状態において前記仮想中心点ａを中心とした第１の取付体49及び第２の取付体51の円弧運動により偏心位置ｂに移動されることにより偏心回転に変換されるようになっている。
【００３７】
なお、前記仮想中心点ａを中心とした前記畦塗り体31の偏心回転への変換は前記回転軸30を挿通した前記第２の取付体51の挿通孔50及び前記複数のボルト55を挿通した前記第２の取付体51の複数の取付長孔54の範囲内において行われ、かつ、この挿通孔50及び複数の取付長孔54の範囲内で畦塗り体31の偏心量が調節されるようになっている。そして、偏心位置ｂの前記回転軸30にて前記側面修復体32及び上面修復体34を有する前記畦塗り体31が偏心回転されるようになっている。
【００３８】
しかして、前記上面修復体34は前記側面修復体32に対して小さく相似形に形成されている。そして、前記側面修復体32は前記ブラケット27に向かって拡開して形成され、前記上面修復体34は前記伝動ケース26に向かって拡開して形成されている。
【００３９】
つぎに、前記回転軸30の一端部は前記伝動ケース26の下端部内に突出され、この回転軸30の突出端部にはスプロケット56が固着され、前記伝動ケース26の上端部内に突出された前記第２の出力軸23の突出端部にはスプロケット57が固着され、この上下のスプロケット56，57間には無端チェーン58が回行自在に懸架されている。
【００４０】
なお、図中59は前記ロータリー17及び前記畦塗り体31の上方部を被覆した防土カバーである。また、前記ミッションケース２には連結部材を介して図示しないゲージ輪が回転自在に軸架されるようになっており、また、前記左右の連結アーム９には図示しないスタンドが上下動自在にまたは着脱自在に設けられるようになっている。
【００４１】
つぎに、前記実施の形態の作用を説明する。
【００４２】
トラクタの三点リンク機構に連結されたクイックカプラ13の三点連結部に機枠１の三点連結部（左右のロワピン10及び連結ピン12）を連結するとともに、トラクタのＰＴＯ軸に動力伝達軸を介してミッションケース２内のミッションの入力軸３を連結する。
【００４３】
また、圃場の状況または旧畦Ａの状況に応じてロータリー17及び畦塗り体31の作業高さ位置を調節し、このロータリー17及び畦塗り体31を圃場の状況または旧畦Ａの状況に応じた作業高さ位置に設定する。そして、畦塗り体31はロータリー17の作業高さ位置に対応して旧畦Ａを修復する高さ及び旧畦Ａを締め固める適正位置に調節設定される。
【００４４】
また、圃場がたとえば湿田の場合には、畦塗り体31の側面修復体32及び上面修復体34の中心部に回転軸30が位置するように、回転軸30に取付手段48にて畦塗り体31を取り付けることにより、この回転軸30には畦塗り体31の側面修復体32及び上面修復体34が偏心回転されない同心回転の状態に固着される。
【００４５】
つぎに、トラクタにて畦塗り機を畦際に沿って配設し、このトラクタにて畦塗り機が畦際に沿って牽引進行されるとともに、トラクタのＰＴＯ軸からの出力によって動力伝達軸を介して入力軸３が回転されると、この入力軸３にて第１の伝動フレーム７内の第１の出力軸14が回転駆動されるとともに、第２の伝動フレーム22内の第２の出力軸23が回転駆動される。
【００４６】
また、第１の出力軸14が回転駆動されることにより、この第１の出力軸14にてロータリー17が進行方向に向かって回転駆動される。また、第２の出力軸23が回転駆動されることにより、この第２の出力軸23にて連動媒体（伝動ケース26内の上下のスプロケット56，57及び無端チェーン58）を介して畦塗り体31の回転軸30が回転され、この回転軸30にて畦塗り体31が進行方向に向かって泥土に対してスリップ回転する早い速度で回転駆動される。
【００４７】
そして、ロータリー17の各切削爪20にて旧畦Ａの側部Ｂ及びこの旧畦Ａの畦際が順次切削されるとともに、これらの切削土が畦塗り用泥土として各切削爪20にて畦塗り体31に向かって順次跳ね飛ばされ、かつ、防土カバー59に案内されて畦塗り体31の前方に供給される。
【００４８】
この際、多数の切削爪20を軸方向に放射状に突設したロータリー17は旧畦Ａ側を低く傾斜させた回転自在の第１の出力軸14に連結されていることにより、このロータリー17は旧畦Ａの側部Ｂを切削し易い角度で突出され、このロータリー17の各切削爪20にて旧畦Ａの側部Ｂ及びこの旧畦Ａの畦際の土が確実に切削され、これらの切削土が畦塗り用泥土として畦塗り体31に確実に供給される。
【００４９】
また、畦塗り体31に供給された畦塗り用の泥土は、この畦塗り体31の側面修復体32の円錐形状の修復面35にて旧畦Ａの側部Ｂに沿って順次塗り付けられ、この旧畦Ａの側部Ｂが下方に向かって拡開した傾斜面に順次修復されると同時に、この畦塗り体31の上面修復体34の円錐形状の修復面40にて旧畦Ａの上部Ｃに沿って順次塗り付けられ、この旧畦Ａの上部Ｃが水平状面に順次修復される。
【００５０】
この際、側面修復体32の円錐形状の修復面35にて旧畦Ａの側部Ｂを傾斜面に修復可能にかつ上面修復体34の円錐形状の修復面40にて旧畦Ａの上部Ｃを水平状面に修復可能に畦塗り体31を旧畦Ａに対して所定の角度に傾斜して配設されていることにより、側面修復体32の修復面35にて旧畦Ａの側部Ｂを修復する際の泥土は修復面35の縮径側の旧畦Ａの肩部Ｄに向かって押し上げ誘導されるとともに、上面修復体34の修復面40にて旧畦Ａの上部Ｃを修復する際の泥土は修復面40の縮径側の旧畦Ａの肩部Ｄに向かって誘導される。
【００５１】
そして、これらの泥土は側面修復体32の円筒状部37と上面修復体34の円筒状部43とにより形成された肩修復部47にて旧畦Ａの肩部Ｄに順次塗り付けられ、旧畦Ａの肩部Ｄは固く締め固められて順次傾斜面に修復される。すなわち、側面修復体32と上面修復体34との縮径連設部に集められる泥土は肩修復部47にて旧畦Ａの肩部Ｄに順次塗り付けられ、旧畦Ａの肩部Ｄは傾斜面に固く締め固められて順次修復される。
【００５２】
この場合、上面修復体34は旧畦Ａの肩部Ｄ側を縮径端部としこの旧畦Ａの肩部Ｄと反対側を拡径部とした円錐形状に形成されていることにより、上面修復体34にて旧畦Ａの上部Ｃを修復する際には上面修復体34の円錐形状の修復面40にて旧畦Ａの上部Ｃの泥土が円錐形状の拡径側から外側に流れ出ることを可及的に防止される。
【００５３】
したがって、畦塗り体31の側面修復体32、肩修復部47及び上面修復体34にて旧畦Ａの側部Ｂ、肩部Ｄ及び上部Ｃが固く締め固められ旧畦Ａが側部Ｂを下方に向かって拡径した傾斜面とし、肩部Ｄを傾斜面とし、上部Ｃを水平状面とした所定の形態の畦に順次修復される。
【００５４】
つぎに、圃場がたとえば乾田の場合等、畦塗り体31を偏心回転に変換する際には、複数のボルト55をそれぞれ弛緩した状態で、回転軸30及び複数のボルト55を介して挿通孔50及び複数の取付長孔54の長さの範囲内で畦塗り体31を仮想中心点ａを中心として回動調節すると、この畦塗り体31の円弧状の第２の取付体51は回転軸30の円弧状の第１の取付体49に沿って移動する円弧運動によって回動され、畦塗り体31はスムーズに簡単に偏心回転に変換される。
【００５５】
そして、回転軸30の第１の取付体49の複数のねじ孔53に複数のボルト55をそれぞれ締め付けることにより、回転軸30の第１の取付体49に畦塗り体31の第２の取付体51が簡単に固着され、この回転軸30に畦塗り体31が簡単に偏心回転に変換された状態で固定される。そうして、畦塗り体31は上面修復体34の拡径端部近傍の回転中心部の仮想中心点ａを中心として円弧運動によって偏心回転に変換されることにより、この畦塗り体31の上面修復体34は小さい幅で振幅する偏心回転に変換され、畦塗り体31の側面修復体32は上面修復体34より大きい幅で振幅する偏心回転に変換される。
【００５６】
つぎに、畦塗り体31の側面修復体32及び上面修復体34にて旧畦Ａの側部Ｂ及び旧畦Ａの上部Ｃを修復する際には、この側面修復体32及び上面修復体34を有する畦塗り体31は回転軸30にて偏心回転されることにより、この側面修復体32及び上面修復体34はそれぞれ旧畦Ａの側部Ｂ及び旧畦Ａの上部Ｃに対して一定の周期で波を打つように偏心回転される。
【００５７】
すなわち、畦塗り体31の上面修復体34は小さい幅で振幅する偏心回転で側面修復体32は上面修復体34より大きい幅で振幅する偏心回転で図７実線に示す状態と二点鎖線に示す状態を繰り返しながら旧畦Ａの側部Ｂ及び旧畦Ａの上部Ｃに対してそれぞれ一定の周期で波を打つように偏心回転される。
【００５８】
そして、側面修復体32の修復面35にて泥土が旧畦Ａの側部Ｂに対して強い調子で強く押し付けられながら塗り付けられるとともに、上面修復体34の修復面40にて泥土が旧畦Ａの上部に対して強い調子で強く押し付けられながら塗り付けられる。
【００５９】
したがって、全体として旧畦Ａの側部Ｂ、肩部Ｄ及び上部Ｃは固く締め固められて順次修復され、畦塗り後の畦は全体として十分に固く締め固められ滑らかに整畦されるとともに、この畦塗り後の畦の表面部は整然と仕上げられて見栄えがよく、この畦は簡単に崩れたり、水漏れすることがない状態に整畦される。
【００６０】
また、側面修復体32と上面修復体34とは相互の縮径端部33，42を接合した状態で複数のボルト・ナット46にて着脱可能に連結されたフランジ39，45をそれぞれ有し、そのフランジ39，45は回転軸30に固着された第１の取付体49を挿通する案内孔38，44を有するので、この案内孔38，44から回転軸30の第１の取付体49を畦塗り体31の第２の取付体51に容易に当接されるとともに、この第１の取付体49に第２の取付体51を複数のボルト55にて簡単に連結され、したがって、回転軸30には塗り体31が簡単に取り付けられる。そして、塗り体31は回転軸30を中心とした同心回転の状態及び回転軸30にて偏心回転の状態に簡単に調節設定される。
【００６１】
また、側面修復体32と上面修復体34とは複数のボルト・ナット46にて着脱可能に連結されていることにより、側面修復体32及び上面修復体34は、たとえば、その一方が摩耗・損傷した場合のように泥土の塗り付け修復作業に支障をきたすようになったときには簡単に着脱交換に応じられる。
【００６２】
つぎに、前記実施の形態では、畦塗り体31の側面修復体32、上面修復体34及び肩修復部47にて旧畦Ａの側部Ｂ、肩部Ｄ及び上部Ｃを修復する場合について説明したが、この際、特に旧中畦を修復する場合には、上面修復体34にはこの上面修復体34の進行を案内するガイド体60を着脱可能に取り付けるようにするとよい。
【００６３】
この場合には、たとえば、図９に示すように、上面修復体34には拡径端部の外周部に所定の間隔をおいて複数の取付孔61をそれぞれ形成する。また、前記ガイド体60は前記上面修復体34の拡径端部の外周部に嵌合する環状の取付基体62と、この取付基体62に一体に形成され側面修復体32にて修復される旧畦Ａの側部Ｂと反対側の側部に沿って回転される円錐形状のガイド板63とを有し、前記取付基体62には前記上面修復体34の複数の取付孔61に連通する複数の連通孔64をそれぞれ形成する。
【００６４】
そして、前記ガイド体60の取付基体62の各連通孔64から上面修復体34の各取付孔61に皿ねじ65をそれぞれ挿通し、この各取付孔61から突出した各皿ねじ65にナット66をそれぞれ螺着して締め付けることにより、上面修復体34の拡径端部の外周部にはガイド体60が簡単に取り付けられる。その他の構成については前記各実施の形態の場合と同様に構成するので対応する符号を記入して説明を省略する。
【００６５】
このように構成することにより、側面修復体32にて旧畦Ａの側部Ｂを修復可能に上面修復体34にて旧畦Ａの上部Ｃを修復可能に、かつ、側面修復体32にて修復される旧畦Ａの側部Ｂと反対側の側部Ｂにガイド体60の円錐形状のガイド板63が沿う状態で畦塗り体31が回転駆動される。
【００６６】
そして、このガイド体60のガイド板63にて旧畦Ａの側部Ｂに沿って畦塗り体31がスムーズに進行される。このガイド体60は特に旧中畦を修復する場合に有効となる。また、ガイド体60は複数の皿ねじ65及びナット66にて上面修復体34に着脱自在に取り付けることにより、このこのガイド体60は旧中畦を修復する場合等必要に応じて簡単に着脱することができる。
【００６７】
つぎに、前記各実施の形態では、回転軸30の第１の取付体49には複数のねじ孔53を形成し、畦塗り体31の側面修復体32の第２の取付体51には前記複数のねじ孔53に連通する複数の取付長孔54をそれぞれ形成する場合について説明したが、これに限らず、複数のねじ孔53は第２の取付体51に形成し、複数の取付長孔54は第１の取付体49に形成するようにしてもよい。
【００６８】
なお、側面修復体32及び上面修復体34はそれぞれの内部に補強部材を設けて土圧に十分に耐え得るように補強するようにしてもよく、この補強部材にて軸受体を介して回転軸30を回転自在に支持するようにしてもよい。
【００６９】
【発明の効果】
請求項１の発明によれば、畦塗り体は旧畦の側部を下方に向かって拡開した傾斜面に修復する円錐形状の側面修復体と、旧畦の上部を水平状面に修復する円錐形状の上面修復体とを有するので、この側面修復体にて旧畦の側部を修復する際の泥土は側面修復体の縮径側の旧畦の肩部に向かって押し上げ誘導できるとともに、上面修復体にて旧畦の上部を修復する際の泥土は上面修復体の縮径側の旧畦の肩部に向かって誘導でき、これらの泥土は側面修復体に上面修復体を連設した相互の縮径端部にて旧畦の肩部に順次塗り付け旧畦の肩部を固く締め固めることができる。また、回転軸に畦塗り体を偏心回転に変換可能に取り付ける取付手段を有するので、この取付手段にて畦塗り体を回転軸を中心とした同心回転はもとより作業状況に応じて畦塗り体を偏心回転に簡単に変換することができ、すなわち、この畦塗り体を湿田用または乾田用に簡単に変換設定することができる。そして、回転軸にて畦塗り体を偏心回転させることにより、この側面修復体及び上面修復体をそれぞれ旧畦の側部及び旧畦の上部に対して波を打つように偏心回転させることができ、このため、側面修復体にて泥土が旧畦の側部に対して強い調子で強く押し付けられながら塗り付けられるとともに、上面修復体にて泥土が旧畦の上部に対して強い調子で強く押し付けられながら塗り付けられる。したがって、全体として旧畦の側部及び上部はもとより肩部を十分に固く締め固めて修復することができ、畦塗り後の畦は全体として十分に整畦されて崩れ難く、この畦の表面部は整然と仕上げられて見栄えがよく、この畦は簡単に崩れたり、水漏れすることがなく長期に耐え得る畦に修復することができる畦塗り機を提供できる。
【００７０】
また、畦塗り体の第２の取付体の挿通孔に挿通した回転軸の第１の取付体に畦塗り体の第２の取付体を当接した状態で、この回転軸に対して挿通孔の長さの範囲内で畦塗り体を移動調整することにより、畦塗り体の回転中心を簡単に変換することができ、この第１の取付体と第２の取付体とを固定具にて固定することにより、畦塗り体を偏心回転に変換させた状態に確実に保持でき、回転軸にて畦塗り体を偏心回転させることにより、旧畦の側部及び上部はもとより肩部を十分に固く締め固めて修復することができる。また、側面修復体及び上面修復体は、この相互を着脱自在に連結するフランジをそれぞれ有し、このフランジは回転軸に固着された第１の取付体を挿通する案内孔をそれぞれ有するので、側面修復体及び上面修復体は、たとえば、その一方が摩耗・損傷した場合のように泥土の塗り付け作業に支障をきたすようになったときには簡単に着脱交換に応じることができる。また、取り付け時には回転軸に固着された第１の取付体はフランジの案内孔から畦塗り体内に容易に挿通して取り付けることができる。
【００７１】
請求項２の発明によれば、第１の取付体と第２の取付体とのいずれか一方は複数のねじ孔を有し、他方は前記複数のねじ孔に連通する畦塗り体の半径方向の複数の取付長孔を有し、固定具は前記複数の取付長孔から前記複数のねじ孔にそれぞれ螺着する複数のボルトからなるので、畦塗り体を偏心回転に変換する際には、複数のボルトをそれぞれ弛緩した状態で、回転軸及び複数のボルトをガイドとして挿通孔及び複数の取付長孔の長さの範囲内で畦塗り体を移動調整して畦塗り体の回転中心を簡単に変換でき、複数のボルトをそれぞれねじ孔に締め付けることにより、畦塗り体を偏心回転に変換させた状態に確実に保持でき、この畦塗り体の調整操作が容易である。
【００７２】
請求項３の発明によれば、第１の取付体及び第２の取付体は、畦塗り体の上面修復体の拡径端部近傍の回転中心部を仮想中心点としてそれぞれ円弧状に形成したので、畦塗り体を偏心回転に変換する際には、畦塗り体を仮想中心点を中心として回動すると、この畦塗り体の円弧状の第２の取付体は回転軸の円弧状の第１の取付体に沿って移動する円弧運動によって回動でき、畦塗り体をスムーズに簡単に偏心回転に変換できる。そして、畦塗り体の上面修復体は小さい幅で振幅する偏心回転に変換され、畦塗り体の側面修復体は上面修復体より大きい幅で振幅する偏心回転に変換され、特に側面修復体にて旧畦の側部を崩れ難く強化して修復することができる。
【００７３】
請求項４の発明によれば、側面修復体と上面修復体との間に位置して旧畦の肩部を傾斜面に修復する肩修復部を有するので、肩修復部にて泥土が旧畦の肩部に強く塗り付けられ、旧畦の肩部を傾斜面に固く締め固めて修復することができ、全体的に旧畦を崩れ難い状態に修復することができる。
【００７４】
請求項５の発明によれば、上面修復体は、拡径端部の外周部に旧畦の修復する側部と反対側の側部に沿って回転される着脱可能なガイド体を有するので、このガイド体にて旧畦の側部に沿って畦塗り体をスムーズに進行させることができ、畦塗り体が旧畦から外れることを防止でき、このガイド体は特に中畦を修復する場合に有効となる。
【図面の簡単な説明】
【図１】  本発明の一実施の形態を示す畦塗り体の断面図である。
【図２】  同上変換機構部を示す断面図である。
【図３】  同上畦塗り体を備えた畦塗り機の一部を省略した平面図である。
【図４】  同上側面図である。
【図５】  同上旧畦修復機構部の側面図である。
【図６】  同上畦塗り体を仮想中心点を中心として偏心回転に変換した状態を示す断面図である。
【図７】  同上畦塗り体の作動説明図である。
【図８】  同上畦塗り状態を示す説明図である。
【図９】  他の実施の形態の畦塗り体の断面図である。
【符号の説明】
17    ロータリー
20    切削爪
30    回転軸
31    畦塗り体
32    側面修復体
33    縮径端部
34    上面修復体
38    案内孔
39    フランジ
45    フランジ
47    肩修復部
48    取付手段
49    第１の取付体
50    挿通孔
51    第２の取付体
52    固定具
53    ねじ孔
54    取付長孔
55    ボルト
60    ガイド体
Ａ    旧畦
Ｂ    旧畦の側部
Ｃ    旧畦の上部
Ｄ    旧畦の肩部
ａ    仮想中心点
【図１】
0003647973.tif 000002
【図２】
0003647973.tif 000003
【図３】
0003647973.tif 000004
【図４】
0003647973.tif 000005
【図５】
0003647973.tif 000006
【図６】
0003647973.tif 000007
【図７】
0003647973.tif 000008
【図８】
0003647973.tif 000009
【図９】
0003647973.tif 000010